(57)【特許請求の範囲】
【請求項１】
長尺の基材シートの一面に、その全面に亘って粘着剤を塗布する粘着剤塗布工程、
該粘着剤の塗布された上記一面の長手方向に沿う中央部に、上面の長手方向中央に長尺のフックテープの貼付された、上記基材シートより細幅の長尺のフィルムを、その下面において接着して長尺の止着テープシートを形成する止着テープシート形成工程、
蛇行曲線の湾曲部が、上記フックテープの両側の上記フィルムそれぞれの表面上に位置するように規則的に蛇行する該蛇行曲線が、該蛇行曲線と上記フックテープの一側辺で囲まれたタブの領域を形成し、且つ該フックテープの領域において変曲点を有するように蛇行している一本の蛇行曲線で、該蛇行曲線に沿って切断して上記止着テープシートを二分割する止着テープシート二分割工程、及び
二分割された該止着テープシートを、上記湾曲部の各頂点から、それぞれ該止着テープシートの両側辺に対して垂直に延びる直線に沿って切断して複数個の止着テープを得る止着テープ形成工程からなる、
先端に上記タブの領域により形成されるタブを備え、中央に上記フックテープを備え、基端に上記粘着剤を備える止着テープの製造法。
【発明の詳細な説明】
【０００１】
【産業上の利用分野】
本発明は、止着テープの製造法に関し、特に、使い捨てオムツ用として優れている止着テープの製造法に関する。
【０００２】
【従来の技術及び発明が解決しようとする課題】
使い捨てオムツや衣料等の分野に広く用いられている、通常の止着テープとしては、その基端（使い捨てオムツ等に固定される端部）及び止着部に粘着剤層を有するもの、及び、止着部には機械的締結テープ（フックテープ等）を有するものがある。
前者の止着テープ及びその製造法については、特公平７−５７２３４号公報に開示されているが、この製造法では、上記基端及び上記止着部に粘着剤を塗布する工程で、粘着剤の幅を制御することが難しく、上記非止着部及び上記タブにも粘着剤が塗布される場合がある等、所望の形態の止着テープを得難い。また、該タブは、止着テープの基材シートから形成されるため、比較的薄くつまみ難いものである。また、後者の止着テープについては、特開昭６２−２３１６５９号公報に開示されているが、この止着テープは、タブを有さず且つ粘着剤層と止着部との間に非止着部を有さないもので、そのため、使い捨てオムツの止着テープとしては使用し難いものである。
【０００３】
従って、本発明の目的は、止着テープの基端に粘着剤層を有し、止着部としてフックテープを有し、該粘着剤層と該止着部との間に非止着部を有し、且つ先端にタブを有する止着テープを、効率良く量産できる止着テープの製造法を提供することにある。
【０００４】
【課題を解決するための手段】
本発明は、長尺の基材シートの一面に、その全面に亘って粘着剤を塗布する粘着剤塗布工程、該粘着剤の塗布された上記一面の長手方向に沿う中央部に、上面の長手方向中央に長尺のフックテープの貼付された、上記基材シートより細幅の長尺のフィルムを、その下面において接着して長尺の止着テープシートを形成する止着テープシート形成工程、蛇行曲線の湾曲部が、上記フックテープの両側の上記フィルムそれぞれの表面上に位置するように規則的に蛇行する該蛇行曲線が、該蛇行曲線と上記フックテープの一側辺で囲まれたタブの領域を形成し、且つ該フックテープの領域において変曲点を有するように蛇行している一本の蛇行曲線で、該蛇行曲線に沿って切断して上記止着テープシートを二分割する止着テープシート二分割工程、及び二分割された該止着テープシートを、上記湾曲部の各頂点から、それぞれ該止着テープシートの両側辺に対して垂直に延びる直線に沿って切断して複数個の止着テープを得る止着テープ形成工程からなる、先端に上記タブの領域により形成されるタブを備え、中央に上記フックテープを備え、基端に上記粘着剤を備える止着テープの製造法を提供することにより、上記目的を達成したものである。
【０００５】
【発明の実施の形態】
以下、本発明の止着テープの製造法の一実施形態について、添付図面を参照して工程順に説明する。図１は本実施形態の止着テープの製造法による製造途中の止着テープシートを示す平面図、図２は図１のＡ−Ａ線断面矢視拡大図、図３は二分割された止着テープシートを示す平面図、図４は本実施形態の止着テープの製造法により製造された止着テープを使い捨てオムツに使用した状態を示す要部平面図である。
【０００６】
まず、上記粘着剤塗布工程において、粘着剤２を、長尺の基材シート１の一面に、その全面に亘って塗布する。その際に、上記基材シート１の長手方向両側端には、僅かに、接着剤の塗布されない側部非塗布部１１，１１を設けるようにする（図１及び図２参照）。この側部非塗布部１１を設けることにより、製造時に粘着剤２が上記基材シート１の側辺からはみ出て該基材シート１の他面や他の部分を汚す虞がなくなる。従って、全面に亘る粘着剤２の塗布とは、このような場合も含む。
【０００７】
上記基材シート１を形成する材料としては、ポリプロピレン、ポリエチレン、ポリエチレンテレフタレート等のフィルム材料、又は不織布等が好ましく用いられ、ポリプロピレンのフィルム材料が特に好ましく用いられる。また、該不織布は、不織布化が可能な繊維からなるものであれば特に制限されない。
上記不織布の製造方法としては、特に制限されず、エアーニードリング方式、ウォーターニードリング方式、ニードルパンチ方式、バインダー接着方式、スパンボンド方式等が挙げられ、特にスパンボンド方式が好ましい。
上記基材シート１の厚さは、該基材シート１がフィルム材料からなる場合、好ましくは３０〜１５０μｍ、更に好ましくは６０〜１００μｍであり、該基材シート１が不織布からなる場合、好ましくは０．３〜２．０ｍｍ、更に好ましくは０．７〜１．３ｍｍである。該基材シート１の幅ｗ1 は、好ましくは５０〜１２０ｍｍ、更に好ましくは７０〜１００ｍｍである。該基材シート１の厚さ及び幅ｗ1 がこれらの範囲にある場合、止着テープ８に適当な長さ及び可撓性が与えられる。
【０００８】
上記粘着剤２としては、ゴム系、エバ系、オレフィン系、アクリル系等の通常の吸収性物品等に使用できるものなら何を用いてもかまわないが、ゴム系が好ましく用いられる。
【０００９】
次いで、上記止着テープシート形成工程において、上記粘着剤２の塗布された上記基材シート１の一面の長手方向に沿う中央部に、長尺のフックテープ３の貼付された長尺のフィルム４を、その下面において接着する。上記フィルム４は上記基材シート１より細幅であり、上記フックテープ３は、該フィルム４の上面の長手方向中央に貼付されている。尚、ここで言うフックテープ３は、マジックテープ（登録商標）等のメカニカルファスナーのオス部材に相当する。
その結果、上記基材シート１の両側部に一対の側部粘着帯２１，２１を有し、中央部にフックテープ３を有し（図１参照）、且つ図２に示す断面を有する長尺の止着テープシート５が形成される。
【００１０】
上記フックテープ３の幅ｗ2 は、止着テープ８にタブ８１及び非止着部８４（図３及び図４参照）を形成するために、上記フィルム４の幅ｗ3 より短くされ、好ましくは２０〜５０ｍｍ、更に好ましくは２５〜３５ｍｍである。
上記フックテープ３としては、シート基材上に錨方のオス型係合部材が多数配されたものや、シート基材上に釣型のオス型係合部材が多数配されたもの等を挙げることができる。また、「マジックテープ」（登録商標、クラレ社製）、「クイックロン」（登録商標、ＹＫＫ社製）、「マジクロス」（登録商標、カネボウベルタッチ社製）、「ＣＳ−２００」（商品名、３Ｍ社製）等の市販品を用いることができる。
【００１１】
上記フィルム４の厚さ及び幅ｗ3 は、止着テープ８を摘み易くするために、それぞれ２０〜１００μｍ、３０〜９０ｍｍとすることが好ましく、２５〜５０μｍ、４５〜６５ｍｍとすることが更に好ましい。また、上記フィルム４の色は、止着テープ８のタブ８１の色を好ましいものとするように適宜選択される。
上記フィルム４としては、ポリプロピレン、ポリエチレン、ポリエチレンテレフタレート等のフィルム材料が好ましく用いられる。
【００１２】
次いで、上記止着テープシート５を、上記止着テープシート二分割工程において、規則的に蛇行する一本の蛇行曲線６に沿って切断して左右対称に二分割する。上記蛇行曲線６は、図１に示すように、上記フックテープ３の両側の上記フィルム４それぞれの表面上に位置する仮想線（点線）Ｌ，Ｌ'間を蛇行しており、上記蛇行曲線６の湾曲部 ６１，６１・・は、該仮想線Ｌ又はＬ'上に位置している。
上記蛇行曲線６は、図３のように、該蛇行曲線６と上記フックテープ３の一側辺とで囲まれるフィルム領域４１（タブ８１）を形成しており、タブ８１が、該止着テープシート５の長手方向に、好ましくは１５〜５０ｍｍ、更に好ましくは２０〜３５ｍｍの長さｌ1 を有し、幅方向に好ましくは２．５〜１０ｍｍ、更に好ましくは５〜７．５ｍｍの長さｌ2 を有するようになされている。上記フィルム領域４１の各長さｌ1 ，ｌ2 が、それらの範囲を越えると、止着テープ８のタブ８１を摘み難くなる虞がある。
また、上記蛇行曲線６と上記フックテープ３の両側辺とで囲まれるフックテープ領域３１（止着部８２）は、止着テープ８に十分な止着力を与えるために、好ましくは３００〜２５００ｍｍ2 、更に好ましくは５００〜１２２５ｍｍ2 の広さを持つようにする。
また、上記蛇行曲線６には、上記フックテープ領域３１において変曲点を持たせ、止着テープ８に美しい外形を与えると共に、止着テープ８の側部粘着剤層８３（図３参照）より、該フックテープ領域３１及び上記フィルム領域４１を十分に細く形成できるようにする。
【００１３】
次いで、二分割された上記止着テープシート５を、上記止着テープ形成工程において、直線７，７・・に沿って切断して複数個の止着テープ８，８・・を得る。上記直線７，７・・は、図３に示すように、上記湾曲部６１，６１・・の各頂点から、それぞれ該止着テープシート５の両側辺に対して垂直に延びている。止着テープ８を形成する際に、分割された各止着テープシート５’，５’は、効率良く止着テープ８を切り出せるように、又は、後工程である止着テープ８の使い捨てオムツ９（図４参照）への取り付けを効率良く行えるように、適宜その位置を調整される。
【００１４】
上述の各工程からなる本実施形態の止着テープの製造法により得られる止着テープ８は、その先端のタブ８１にフィルム領域４１を有し、その中央の止着部８２にフィルム４上に設けられたフックテープ領域３１を有し、その基端に粘着剤２の塗布された側部粘着剤層８３を有し、該止着部８２と該側部粘着剤層８３との間の非止着部８４にフィルム領域４２を有するものである。
【００１５】
本実施形態の止着テープの製造法によれば、次のような効果が奏される。
上記止着テープシート形成工程において、フックテープ３の貼付されたフィルム４を基材シート１に接着するだけで、止着テープ８のタブ８１、止着部８２及び非止着部８４となる部分を同時に形成できるので、工程を簡便にできる。
また、同工程において、上記フィルム４の色を適宜変えることにより、上記止着テープ８のタブ８１に所望の色を付与できる。
また、上記止着テープシート二分割工程及び上記止着テープ形成工程を通して、止着テープ８のタブ８１にラウンドを持たせるように且つ素材のムダがないように効率良く、上記止着テープ８を量産できる。
【００１６】
そして、本実施形態の止着テープの製造法により製造された止着テープ８は、上述のように構成されているため、図４に示すように、該止着テープ８の側部粘着剤層８３を使い捨てオムツ９を形成するシート間に介在させて、該使い捨てオムツ９の後側ウエスト９１の側端に固定でき、該使い捨てオムツ９の該止着テープ８として、安定した止着力を与えることができる。また、該止着テープ８は、タブ８１を有するため使用し易く（摘み易く）、該タブ８１がラウンドを有するため使用者の肌等を傷つけ難く、非止着部８４に適当な幅を持たせているため止着部８２が使用者腰部の肌を刺激する虞がない。
【００１７】
また、本実施形態の製造法により製造される止着テープ８は、次ぎに述べるようにして使い捨てオムツ９の連続製造ラインへ供給するのが好ましい。
上記止着テープシート形成工程において得られた止着テープシート５を、切断せずにロールとし、該ロール状の止着テープシート５を、使い捨てオムツ９の連続製造ラインにおける適当な場所に設置する。そして、ロール状の該止着テープシート５を巻き解きながら、上記止着テープシート二分割工程以下の各工程を実施することにより、止着テープ８を得つつ、得られた止着テープ８を使い捨てオムツ９の連続製造ラインに供給する。
【００１８】
本発明は上記実施形態に限定されるものではない。例えば、上記実施形態において、フックテープ３は、予め、フィルム４に貼付されているが、フィルム４を基材シート１に接着させた後に、フックテープ３をフィルム４に貼付しても良い。
また、蛇行曲線６は、止着テープシート５を対称に二分割するように規則的に蛇行し、止着テープ８の外形を美しくするものであれば、形状において特に限定されない。
【００１９】
【発明の効果】
本発明の止着テープの製造法によれば、止着テープの基端に粘着剤層を有し、止着部としてフックテープを有し、該粘着剤層と該止着部との間に非止着部を有し、且つ先端にタブを有する止着テープを、効率良く量産できる。
【図面の簡単な説明】
【図１】  図１は、本実施形態の止着テープの製造法による製造途中の止着テープシートを示す平面図である。
【図２】  図２は、図１のＡ−Ａ線断面矢視拡大図である。
【図３】  図３は、二分割された止着テープシートを示す平面図である。
【図４】  図４は、本実施形態の止着テープの製造法により製造された止着テープを使い捨てオムツに使用した状態を示す要部平面図である。
【符号の説明】
１．    基材シート
２．    粘着剤
３．    フックテープ
４．    フィルム
５，５’．  止着テープシート
６．    蛇行曲線
６１．    湾曲部
７．    直線
８．    止着テープ
【図１】
0004386474.tif 000002
【図２】
0004386474.tif 000003
【図３】
0004386474.tif 000004
【図４】
0004386474.tif 000005